(57)【要約】      （修正有）【課題】芯線の挿し込み不具合を少なくし、接続作業の効率を向上させることができる同軸ケーブル用コネクタを提供する。【解決手段】芯線１１が剥きだされた状態でケーブル１のケーブル絶縁体部１２が挿入される筒状空間部３１１を備えたコネクタ本体としての筒状部と、前記筒状部の外周側に組み付けられたナット係止部２２１を備えた接続用ナットと、前記接続用ナットのナット係止部に係止して前記筒状部から挿通逆方向への脱落を防止する脱落防止リング部２３と、挿通された前記接続用ナットの挿通方向へのすり抜けを防止するフランジ部３１２と、前記筒状部のケーブルの挿入側に設けられた「す割部」３１３とを備えて同軸ケーブル用コネクタ３０を構成する。さらに、剥きだされた前記芯線に被せられるキャップ３３の先端側部分３３１が密嵌合して貫通する径の貫通孔５１を備えて、前記筒状空間部３１１に圧入された芯線部支持体５を設ける。【選択図】図７
0003163558.tif 000002
【実用新案登録請求の範囲】
【請求項１】
ケーブルが挿入されるコネクタ本体の筒状空間部に、剥きだされた前記芯線部に被せられるキャップの先端側部分の貫通を許す貫通孔を備えて、前記筒状空間部に圧入された芯線部支持体が設けられたことを特徴とする同軸ケーブル用コネクタ。
【請求項２】
芯線が剥きだされた状態でケーブルのケーブル絶縁体部が挿入される筒状空間部を備えたコネクタ本体としての筒状部と、前記筒状部の外周側に組み付けられたナット係止部を備えた接続用ナットと、前記接続用ナットのナット係止部に係止して前記筒状部から挿通逆方向への脱落を防止する脱落防止リング部と、挿通された前記接続用ナットの挿通方向へのすり抜けを防止するフランジ部と、前記筒状部のケーブルの挿入側に設けられた「す割部」とを備えた同軸ケーブル用コネクタにおいて、
剥きだされた前記芯線に被せられるキャップの先端側部分が密嵌合して貫通する径の貫通孔を備えて、前記筒状空間部に圧入された芯線部支持体が設けられたことを特徴とする同軸ケーブル用コネクタ。
【請求項３】
芯線部支持体の貫通孔は、芯線が挿入されるキャップの後端側拡大径部分の貫通が不能な径の孔であることを特徴とする請求項１又は請求項２の同軸ケーブル用コネクタ。
【請求項４】
キャップは芯線と同径の先端側部分を備えた中心コンタクトであることを特徴とする請求項１乃至請求項３の何れかの同軸ケーブル用コネクタ。
【請求項５】
芯線部支持体は、絶縁樹脂で成形された略筒状体であることを特徴とする請求項１乃至請求項４の何れかの同軸ケーブル用コネクタ。
【請求項６】
芯線部支持体は、一方端側が開口され他方端側が塞がれた有底の筒状体であって、前記有底部の中央に貫通孔が形成されたことを特徴とする請求項１乃至請求項４の何れかの同軸ケーブル用コネクタ。
【請求項７】
芯線部支持体の筒内形状は、先端側部分と後端側拡大径部分とを備えたキャップのの前記先端側部分と後端側拡大径部分との接続領域における外形径形状と相補形状に形成されたことを特徴とする請求項１乃至請求項６の何れかの同軸ケーブル用コネクタ。
【請求項８】
芯線部支持体が圧入されるコネクタ本体の筒状空間部２１１の受入部分は当該筒状空間部２１１の内径より大きな内径で形成されたことを特徴とする請求項１乃至請求項６の何れかの同軸ケーブル用コネクタ。
【請求項９】
同軸ケーブルはアンテナ用の同軸ケーブルであることを特徴とする請求項1乃至請求項８の何れかに記載の同軸ケーブル用コネクタ。
【考案の詳細な説明】
【技術分野】
【０００１】
本考案は、同軸ケーブルの接続側の端部に装着される同軸ケーブル用コネクタに関するものである。
【背景技術】
【０００２】
従来の同軸ケーブル用コネクタとして、例えばテレビアンテナ用の同軸ケーブルの端部に装着される同軸ケーブル用コネクタ（以下、従来型コネクタともいう）を、図８に基づいて説明する。図８は同軸ケーブルに装着された状態の同軸ケーブル用コネクタの一部切欠側面である。
【０００３】
図８において、ケーブル１は次のように構成されている。
即ち、符号１はケーブル、１１はケーブル１の芯線、１２は芯線１１を包むケーブル絶縁体部、１３はケーブル絶縁体部１２の外周面を覆う網組された外部導体、１４はケーブルの外皮である。
【０００４】
従来型コネクタ２は、芯線１１が剥きだされた状態でケーブル１のケーブル絶縁体部１２が挿入（図８において左側から右側に向けて）される筒状空間部２１１を備えたコネクタ本体としての筒状部２１と、筒状部２１の外周側に組み付けられた接続用ナット２２即ち当該コネクタの相手方であるレセプタル側との接続のための接続用のナットと、組み付けられた接続用ナット２２の筒状部２１からの抜け落ち（脱落）を防止するため当該筒状部２１の外周側に組み付けられた脱落防止リング部２３とを備えている。
【０００５】
又、筒状部２１の図中左側の外周端には当該筒状部２１の図中右側から挿通された接続用ナット２２のすり抜けを防止するためのフランジ部２１２が設けられており、挿通された接続用ナット２２は当該接続用ナット２２の図中右端側に小径部として設けられたナット係止部２２１が、前記フランジ部２１１に阻止されて挿通方向即ち挿通正方向（図において右から左方向）へのすり抜けが防止される。
【０００６】
他方、接続用ナット２２の挿通逆方向（図において左から右方向）へのすり抜けは、前記脱落防止リング部２３によって防止される。
即ち、接続用ナット２２は、前記フランジ部２１１とこの脱落防止リング部２３との間の筒状部２１に遊嵌された状態でコネクタ本体（２１）に組み付けられている。
【０００７】
更に、コネクタ本体としての筒状部２１の図中右側部分即ちケーブル１の挿入側は、複数の縦割りスリット（図示せず）が設けられた「す割部」２１２とされており、このす割部２１２の内部にはケーブル１のケーブル絶縁体部１２が押し込まれ、す割部２１２の外周面側には網組された外部導体１３とケーブル１の外皮（以下、ケーブル外皮ともいう）１４とが被せられた状態で押し込められる。
このように押し込められた状態で、ケーブル外皮１４の外側から締め付けリング４です割部２１２即ちコネクタ本体としての筒状部２１に締め付け固定されることで、コネクタ本体（２１）がケーブル１の接続側に装着されている。
【考案の概要】
【考案が解決しようとする課題】
【０００８】
従来の同軸ケーブル用コネクタ２は、上記のように、ケーブル接続端の芯線がそのままの露出状態とされていたため、芯線を相手方に挿し込んで接続する際に、初回の挿し込みで成功しないと、芯線が他の部位に当たって曲がりが生じ易く、一旦この曲がりが生じてしまうと、曲がりを直す手間がかかる上、曲がりを直しても芯線の中心線が取り難くなるため一層芯線の差し込み作業が困難になってしまう、という不都合があった。
【０００９】
又、ケーブル端部へのコネクタ本体（２１）の装着固定箇所が、す割部における締め付けリング４による締付部位の一ヶ所となってしまうため、ケーブルの外周から中心軸線（芯線）に向かっての締め付け圧力を均等に行えず、不均等な圧力での締め付けとなると、露出された芯線先端側が中心軸線から微妙に離れた状態での締め付けとなってしまうため、初回の挿し込みでの挿込成功率が下がって、芯線に曲がりが生じ易くなる、という不都合があった。
【課題を解決するための手段】
【００１０】
請求項１の同軸ケーブル用コネクタの考案は、
ケーブルが挿入されるコネクタ本体の筒状空間部に、剥きだされた前記芯線部に被せられるキャップの先端側部分の貫通を許す貫通孔を備えて、前記筒状空間部に圧入された芯線部支持体が設けられたことを特徴とする。
【００１１】
請求項２の同軸ケーブル用コネクタの考案は、
芯線が剥きだされた状態でケーブルのケーブル絶縁体部が挿入される筒状空間部を備えたコネクタ本体としての筒状部と、前記筒状部の外周側に組み付けられたナット係止部を備えた接続用ナットと、前記接続用ナットのナット係止部に係止して前記筒状部から挿通逆方向への脱落を防止する脱落防止リング部と、挿通された前記接続用ナットの挿通方向へのすり抜けを防止するフランジ部と、前記筒状部のケーブルの挿入側に設けられた「す割部」とを備えた同軸ケーブル用コネクタにおいて、
剥きだされた前記芯線に被せられるキャップの先端側部分が密嵌合して貫通する径の貫通孔を備えて、前記筒状空間部に圧入された芯線部支持体が設けられたことを特徴とする。
【００１２】
請求項３の考案は、請求項１又は請求項２の同軸ケーブル用コネクタの考案において、
芯線部支持体の貫通孔は、芯線が挿入されるキャップの後端側拡大径部分の貫通が不能な径の孔であることを特徴とする。
【００１３】
請求項４の考案は、請求項１乃至請求項３の何れかの同軸ケーブル用コネクタの考案において、キャップは芯線と同径の先端側部分を備えた中心コンタクトであることを特徴とする。
【００１４】
請求項５の考案は、請求項１乃至請求項４の何れかの同軸ケーブル用コネクタの考案において、
芯線部支持体は、絶縁樹脂で成形された略筒状体であることを特徴とする。
【００１５】
請求項６の考案は、請求項１乃至請求項４の何れかの同軸ケーブル用コネクタの考案において、
芯線部支持体は、一方端側が開口され他方端側が塞がれた有底の筒状体であって、前記有底部の中央に貫通孔が形成されたことを特徴とする。
【００１６】
請求項７の考案は、請求項１乃至請求項６の何れかの同軸ケーブル用コネクタの考案において、
芯線部支持体の筒内形状は、先端側部分と後端側拡大径部分とを備えたキャップのの前記先端側部分と後端側拡大径部分との接続領域における外形径形状と相補形状に形成されたことを特徴とする。
【００１７】
請求項８の考案は、請求項１乃至請求項６の何れかの同軸ケーブル用コネクタの考案において、
芯線部支持体が圧入されるコネクタ本体の筒状空間部２１１の受入部分は当該筒状空間部２１１の内径より大きな内径で形成されたことを特徴とする。
【００１８】
請求項９の考案は、請求項1乃至請求項８の何れかに記載の同軸ケーブル用コネクタにおいて、同軸ケーブルはアンテナ用の同軸ケーブルであることを特徴とする。
【考案の効果】
【００１９】
請求項１乃至請求項９の考案によれば、何れの考案においても、同軸ケーブルの剥きだされてた芯線部分が芯線部支持体によって確実に所定の中心軸線位置で支持されるので、
芯線を相手方に挿し込んで接続する際に、初回の挿し込みでの成功確率を著しく向上させることができる。
【００２０】
従って又、従来のように芯線が他の部位に当たって曲がりが生じたり、曲がった芯線を直す手間が無用となるため、ケーブルの接続作業を迅速且つ容易に行うことができる。
【００２１】
又、ケーブル端部へのコネクタ本体の装着固定箇所が、す割部における締め付けリング４による締付部位と芯線部支持体との二ヶ所となるため、ケーブルの外周から中心軸線（芯線）に向かっての締め付け圧力が均等に行なわれなくとも、露出された芯線先端側が中心軸線から外れることなく、確実に所定の中心軸線位置で支持されるので、
す割部における締め付けリング４による締付作業を迅速且つ容易に行うことができる。
【図面の簡単な説明】
【００２２】
【図１】図１は本考案の同軸ケーブルコネクタの一部切欠側面図である。
【図２】図２は本考案のコネクタ本体の一部切欠側面図である。
【図３】図３は本考案の芯線部支持体の一部切欠側面図である。
【図４】図４は本考案の締め付けリングの一部切欠側面図である。
【図５】図５は本考案の接続用ナットの一部切欠側面図である。
【図６】図６は本考案の中心コンタクトの一部切欠側面図である。
【図７】図７はテレビアンテナ用同軸ケーブルに本考案の同軸ケーブルコネクタが装着された状態を示す一部切欠側面図である。
【図８】図８は従来の同軸ケーブルコネクタの一部切欠側面図である。
【考案を実施するための形態】
【００２３】
以下、本考案を実施するための最良の形態として、テレビアンテナ用の同軸ケーブル用コネクタの実施例に基づいて説明する。
尚、図８及び同図に基づいての背景技術で説明した符号と同一の符号は実質的に同一内容である。
【実施例】
【００２４】
図１において、この実施例のテレビのアンテナ用の同軸ケーブル用コネクタ３０は、図7に示す同軸ケーブル１（以下、ケーブルともいう）のケーブル外皮１４及び網組された外部導線１３が剥がされてケーブル１の芯線１１が剥きだされた状態でのケーブル絶縁体部１２が挿入される筒状空間部３１１を当該筒軸方向に貫通するように形成されたコネクタ本体としての筒状部３１と、この筒状部３１の外周側に組み付けられた接続用ナット２２と、組み付けられた接続用ナット２２の筒状部３１からの抜け落ちを防止するため当該筒状部３１の外周側に組み付けられた脱落防止リング部２３とを備えている。
【００２５】
図１において、コネクタ本体としての筒状部３１には、図において左側の外周端側に、当該筒状部３１の図中右側から挿通された接続用ナット２２のすり抜けを防止するためのフランジ部３１２が設けられている。
【００２６】
図１及び図５において、前記接続用ナット２２には、図において右端側に、小径部として設けられたナット係止部２２１が設けられおり、筒状部３１の前記フランジ部３１２に阻止されて挿通方向即ち挿通正方向（図において右から左方向）へのすり抜けが、前記フランジ部３１２への当該ナット係止部２２１の衝突によって係止されることで防止される。
【００２７】
図１において、接続用ナット２２の挿通逆方向（図において左から右方向）へのすり抜けは、筒状部３１の外周側に組み付けられた前記の脱落防止リング部２３によって防止される。
即ち、接続用ナット２２は、前記フランジ部３１２とこの脱落防止リング部２３との間の筒状部３１に遊嵌された状態でコネクタ本体即ち筒状部３１に組み付けられている。
【００２８】
尚、前記筒状部３１もまた、従来型コネクタ２と同様に、図１において図中右側部分即ちケーブル１の挿入側には、挿入口側から筒軸方向に複数の縦割りスリットが形成（図示せず）されて、所謂「す割部」３１３が設けられている。
【００２９】
図１乃至図３において、符号５は芯線部支持体である。
芯線部支持体５は、図７に示すように、ケーブル１の芯線１１を筒状部３１の筒状空間部３１１内において、当該筒の中心軸（以下、筒軸ともいう）線上に芯線１１を安定保持する芯線部の支持体である。
【００３０】
図１、図３及び図７に示すように、芯線部支持体５は、絶縁樹脂で成形され、ケーブル１の芯線１１が挿入される側である一方端側、図において右側端が開口し他方端側、図において左側が筒底部５２で塞がれた有底の略筒状体であって、前記有底部即ち筒底部５２の中央には剥きだされた芯線１１（以下、芯線部ともいう）が貫通する貫通孔５１が形成されている。
【００３１】
図６及び図７において、図示の芯線１１には、導体であるキャップとしての中心コンタクト３３が被せられており、このキャップ即ち中心コンタクト３３の先端部側３３１が前記貫通孔５１を貫通することで、この芯線（部）１１はこの中心コンタクト３３を介して芯線部支持体５に支持される。
尚、本考案では、このようなキャップが被せられた状態の芯線１１も含んで芯線部ともいう。
【００３２】
図６に示すように、キャップとしての中心コンタクト３３は、中実の先端側部分３３１と、芯線１１が挿し込まれる挿入孔３３３を有し先端側部分３３１の外径より大きな径の後端側拡大径部分３３２とを備えている。
【００３３】
図２において、芯線部支持体５が圧入されるコネクタ本体３１の筒状空間部３１１の受入部分３１４は、当該筒状空間部３１１の内径より大きな内径で、当該筒状空間部３１１の図において左側端側に開口するように拡大内径部として形成されている。芯線部支持体５は図において左側から右側に向けて圧入される。
【００３４】
図３において、芯線部支持体５の筒内形状は、この実施例では、キャップとしての中心コンタクト３３の先端側部分３３１と後端側拡大径部分３３２との境界部分即ち接続領域及び後端側拡大径部分３３２の外形形状と略相補形状に形成されており、殊に、接続領域は挿入方向に次第に縮径していくテーパ面状に形成して、より一層安定支持されるように工夫されている。
【００３５】
尚、貫通孔５１は、芯線１１或いはキャップとしての中心コンタクトの先端側部分３３１（芯線部）の貫通をきつく許す程度に密嵌合して貫通する径の孔が安定支持するには好適である。
上記実施例のキャップとしての中心コンタクト３３の先端側部分３３１の外径はケーブル１の芯線１１の径と同径としている。
従って、貫通孔５１の孔は、上記実施例の中心コンタクトの場合には、挿入されるキャップの後端側拡大径部分３３２の貫通は不能となる。
【００３６】
以上のように、この実施例の同軸ケーブル用コネクタ３０は、芯線部（１１）が剥きだされた状態でケーブル１のケーブル絶縁体部１２が挿入される筒状空間部３１１を備えたコネクタ本体としての筒状部３１と、前記筒状部３１の外周側に組み付けられたナット係止部２２１を備えた接続用ナット２２と、前記接続用ナット２２のナット係止部２２１に係止して前記筒状部３１から挿通逆方向への脱落を防止する脱落防止リング部２３と、挿通された前記接続用ナット２２の挿通方向へのすり抜けを防止するフランジ部３１２と、前記筒状部３１のケーブル１の挿入側に設けられた「す割部」３１３とを備えた同軸ケーブル用コネクタ３０の筒状空間部３１１に、前記芯線部（１１）に被せられたキャップとしての中心コンタクト３３の先端側部分３３１が密嵌合して貫通する径の貫通孔５１を備えた芯線部支持体５を圧入させた構成のものである。
【００３７】
コネクタ本体３０のケーブル１の接続端側への装着は具体的には次のようにして行われる。即、図１及び図７において、
先ず、ケーブル１の接続端側において、中心コンタクト３３の後端側拡大径部３３２の挿入穴３３３に挿入する長さにケーブル１の芯線１１を露出させ、更に、当該芯線１１を包むケーブル絶縁体１２が筒状部空間部３１１内の芯線部支持体５に達する長さ分のケーブル外皮１４及び外部導体１３を当該ケーブル絶縁体１２から剥がして、露出させた芯線１１に中心コンタクト３３を被せるようにして装着して、芯線部とする。
【００３８】
次に、中心コンタクト３３を装着したケーブル接続端側を、コネクタ本体としての筒状部３１の筒状空間部３１１に挿入し、少なくとも、中心コンタクト３３の先端側部分３３１の先端を芯線部支持体５の貫通孔５１に挿し込んでおく。
【００３９】
次に、コネクタ本体の筒状部３１のす割部３１２の内部即ち筒状部３１の筒状空間部３１１に更にケーブル絶縁体部１２を押し込むと共に、ケーブル外皮１４と網組された外部導体１３とを、す割部３１３の外周面側に被るように押し込んで行く。
【００４０】
そして、図７に示すように、中心コンタクト３３の先端側部分３３１が、貫通孔５１に完全に挿入された状態下で、ケーブル外皮１４の外側から前記の締め付けリング４を被せて当該リング４をす割部３１２に向けて締め付けることで固定する。
こうして、コネクタ本体即ち同軸ケーブル用コネクタ３０は、同軸ケーブル１の接続端側に装着される。
【産業上の利用可能性】
【００４１】
本考案は、テレビアンテナ用の同軸ケーブルのみならず、広く同軸ケーブル用のコネクタとして産業上利用することができる。
【符号の説明】
【００４２】
１      ケーブル（同軸ケーブル）
１１    芯線（芯線部）
１２    ケーブル絶縁体部
２２    接続用ナット
２２１  ナット係止部（接続用ナット）
２３    脱落防止リング部      
３０    同軸ケーブル用コネクタ
３１    筒状部（コネクタ本体）
３１１  筒状空間部（筒状部）
３１２  フランジ部（筒状部）
３１３  す割部（筒状部）
３１４  受入部（筒状部）
３３    中心コンタクト（芯線部）
３３１  先端側部分（中心コンタクト）
３３２  後端拡大径部分（中心コンタクト）
３３３  挿入孔（中心コンタクト）
５      芯線部支持体
５１    貫通孔（芯線部支持体）
５２    筒底部（芯線部支持体）
【図１】
0003163558.tif 000003
【図２】
0003163558.tif 000004
【図３】
0003163558.tif 000005
【図４】
0003163558.tif 000006
【図５】
0003163558.tif 000007
【図６】
0003163558.tif 000008
【図７】
0003163558.tif 000009
【図８】
0003163558.tif 000010